(57)【要約】【課題】所望の文字列および画像を撮影画像に付加することができるカメラを提供する。【解決手段】プリンタ一体型のデジタルカメラに、撮影画像を表示する表示部と表面をなぞった軌跡を読み取る読取部とが重なった表示読取パネルと、表示読取パネルの表面をなぞった軌跡を表す付加画像データを生成する付加画像生成部と、撮影画像に軌跡を付加した軌跡付加画像を記録シートにプリントする画像プリント部とを備える。撮影画像が表示された表示読取パネルの表面をなぞって所望の文字列や画像を入力すると、その文字列や画像が撮影画像に付加されて記録シートにプリントされる。【選択図】　　　　図３
2004080370.tif 000002
【特許請求の範囲】
【請求項１】
被写体を固体撮像素子上に結像させ、該固体撮像素子に被写体像を読み取らせて撮影画像データを生成し、該撮影画像データに基づく撮影画像を記録シートにプリントするプリンタ一体型デジタルカメラにおいて、
前記撮影画像を表示する表示部と表面をなぞった軌跡を読み取る読取部とが重なった表示読取パネルと、
前記表示部に撮影画像が表示された状態で、前記読取部に該表示読取パネルの表面をなぞった軌跡を読み取らせて該軌跡を表す付加画像データを生成する付加画像生成部と、
前記撮影画像データが表す撮影画像に前記付加画像生成部で生成された付加画像データが表す軌跡が付加された軌跡付加画像を前記記録シートにプリントする画像プリント部とを備えたことを特徴とするプリンタ一体型デジタルカメラ。
【発明の詳細な説明】
【０００１】
【発明の属する技術分野】
本発明は、撮影した画像を記録シートにプリントして出力するプリンタ一体型のデジタルカメラに関する。
【０００２】
【従来の技術】従来から、撮影した撮影画像を記録シートにプリントして出力するプリンタ一体型デジタルカメラが知られている。カメラの小型化が進められたことや、撮影画像をその場でプリントできるという利点がユーザに受け入れられたことなどから、近年、このプリンタ一体型デジタルカメラはいっそう広範に用いられるようになってきている（例えば、特許文献１参照）。
【０００３】
ここで、例えば、風景を撮影した撮影画像に撮影場所の名称を付加するなど、撮影画像に所望の文字列や画像を付加してプリントするプリンタ一体型デジタルカメラへの要望が高まっている。従来、フィルム式カメラで撮影した撮影画像に文字列を付加する手法としては、ＬＥＤ（Ｌｉｇｈｔ　Ｅｍｉｔｔｉｎｇ　Ｄｉｏｄｅ）によって撮影日時などをフィルム上に写し込む手法や、フィルムに設けられた磁気記録部に撮影日時などの情報を記録しておき、写真プリント装置において、この情報を読み取って撮影画像といっしょに印字する手法などが知られている。また、被写体光をデジタルデータに変換して画像処理を行うデジタルカメラにおいては、カメラに予め用意された文字列や画像を撮影画像に付加したり、カメラにＧＰＳ（Ｇｌｏｂａｌ　Ｐｏｓｉｔｉｏｎｉｎｇ　Ｓｙｓｔｅｍ）が搭載されており、そのＧＰＳから得た撮影位置の情報（緯度や経度）などを撮影画像に付加したりすることができるものもある（例えば、特許文献２参照）。
【０００４】
【特許文献１】
特開２００１−８０６３号公報（第４頁、第５図）
【０００５】
【特許文献２】
特開２００１−６１０８９号公報（第４頁、第１図）
【０００６】
【発明が解決しようとする課題】
上記の手法は、撮影日時や撮影場所の情報、あるいは予め用意された文字列など、限られた文字列を撮影画像に付加するものであり、撮影者が任意の文字列や画像を撮影画像に付加することができないという問題がある。
【０００７】
本発明は、上記事情に鑑み、所望の文字列や画像を撮影画像に付加することができるプリンタ一体型デジタルカメラを提供することを目的とする。
【０００８】
【課題を解決するための手段】
上記目的を達成する本発明のプリンタ一体型デジタルカメラは、被写体を固体撮像素子上に結像させ、固体撮像素子に被写体像を読み取らせて撮影画像データを生成し、撮影画像データに基づく撮影画像を記録シートにプリントするプリンタ一体型デジタルカメラにおいて、
撮影画像を表示する表示部と表面をなぞった軌跡を読み取る読取部とが重なった表示読取パネルと、
表示部に撮影画像が表示された状態で、読取部に表示読取パネルの表面をなぞった軌跡を読み取らせて軌跡を表す付加画像データを生成する付加画像生成部と、
撮影画像データが表す撮影画像に付加画像生成部で生成された付加画像データが表す軌跡が付加された軌跡付加画像を記録シートにプリントする画像プリント部とを備えたことを特徴とする。
【０００９】
本発明のプリンタ一体型デジタルカメラは、撮影画像を表示した表示読取パネルの表面を撮影者がなぞって形成した所望の文字列や画像を読み取り、その画像や文字列を付加した撮影画像を記録シートにプリントして出力する。このように、本発明のプリンタ一体型デジタルカメラによると、所望の文字列および画像を容易に撮影画像に付加してプリントすることができる。
【００１０】
【発明の実施の形態】
以下、本発明の実施形態について説明する。
【００１１】
図１は、本発明の一実施形態であるプリンタ一体型デジタルカメラの外観図である。
【００１２】
このプリンタ一体型デジタルカメラ１００の正面には、撮影時に押されるシャッタボタン１１０、プリンタ一体型デジタルカメラ１００の背面から撮影者が被写体の位置を定めるために覗くファインダ１１１、被写体に焦点を合わせるためのレンズ１１２、シャッタボタン１１０の押下に同期して発光する閃光発光装置１１３、閃光発光装置１１３から発光された光量を計測する閃光調光センサ１１４、セルフタイマ撮影時に点灯あるいは点滅して撮影タイミングを知らせるセルフタイマランプ１１５、撮影画像をプリントする記録シートを入れるための記録シート入口１１６が備えられており、さらに、プリンタ一体型デジタルカメラ１００の上面には、記録シートが出力される記録シート出口１２０が具備されている。シャッタボタン１１０は半押しおよび全押しの２段階に押下可能であり、シャッタボタン１１０が半押しされると、焦点を合わせるための動作等の撮影準備がプリンタ一体型デジタルカメラ１００の内部で行われ、シャッタボタン１１０が全押しされると実際の撮影が行われる。
【００１３】
図２は、プリンタ一体型デジタルカメラ１００の背面図である。
【００１４】
プリンタ一体型デジタルカメラ１００の背面には、図１にも示すファインダ１１１、後述する操作モードを切り替えるモード切替ダイヤル１３０、動作の実行を指示する実行ボタン１３１、動作の取り消しを指示するキャンセルボタン１３２、および撮影画像やメニュー画面などを表示する液晶画面と入力ペン１４０で表面をなぞられた軌跡を読み取るタッチパネルとが重なった表示読取パネル１３３とが具備されており、表示読取パネル１３３の表面をなぞって、文字列および画像の入力を行う入力ペン１４０がプリンタ一体型デジタルカメラ１００内に収容可能に備えられている。表示読取パネル１３３のタッチパネルは、液晶画面上に縦横無尽に配置された赤外線センサによって構成されている。入力ペン１４０によってその赤外線が遮断されると、タッチパネルにおいて、その遮断された位置の情報が検出されて軌跡が読み取られる。また、本実施形態においては、操作モードとして、入力ペンを用いて文字列および画像を入力するペン入力モード、プリンタ一体型デジタルカメラ１００の使用マニュアル等を表示読取パネル１３３に表示するマニュアルモード、被写体を撮影する撮影モード、撮影画像を表示読取パネル１３３に表示する画像表示モード、および撮影画像を記録シートにプリントするプリントモードを選択することができる。
【００１５】
ここで、プリンタ一体型デジタルカメラ１００の内部の構造について説明する。
【００１６】
図３は、プリンタ一体型デジタルカメラ１００のブロック図である。
【００１７】
このプリンタ一体型デジタルカメラ１００には、レンズおよびＣＣＤ２１０、撮像部２２０、画像処理部２３０、軌跡付加部２４０、プリント部２５０、制御部２６０、スイッチ部２７０、および図２にも示す表示読取パネル１３３が具備されており、さらに、撮影画像を記録しておく記録媒体である外部記録部３００が接続されている。
【００１８】
まず、スイッチ部２７０および表示読取パネル１３３について説明する。
【００１９】
スイッチ部２７０には、図示しないが、図１のシャッタボタン１１０が半押しされると１段目のスイッチが入り、シャッタボタン１１０が全押しされると２段目のスイッチが入る２段階のシャッタスイッチや、図２のモード切替ダイヤル１３０で選択された操作モードを設定するダイヤルスイッチ、実行ボタン１３１やキャンセルボタン１３２の押下に伴って入切する各スイッチなどが備えられている。スイッチ部２７０を構成している各スイッチが設定されると、制御部２６０に各スイッチの設定状況が伝えられる。
【００２０】
表示読取パネル１３３には、軌跡読取部１３３ａ、および画像表示部１３３ｂが備えられている。軌跡読取部１３３ａはタッチパネルに対応し、図２に示す入力ペン１４０で表示読取パネル１３３の表面をなぞった軌跡を読み取る。読み取られた軌跡は、画像表示部１３３ｂおよび軌跡付加部２４０に送られる。画像表示部１３３ｂは液晶画面に対応し、軌跡付加部２４０から送られた撮影画像、予め用意されているメニュー画面、および軌跡読取部１３３ａで読み取られた軌跡などを表示する。この軌跡読取部１３３ａは、本発明のプリンタ一体型デジタルカメラにおける読取部の一例にあたり、画像表示部１３３ｂは、本発明のプリンタ一体型デジタルカメラにおける表示部の一例にあたる。また、表示読取パネル１３３は、本発明のプリンタ一体型デジタルカメラにおける表示読取パネルの一例に相当する。
【００２１】
次に、スイッチ部２７０および表示読取パネル１３３以外の各部分について説明する。
【００２２】
制御部２６０は、画像処理部２３０から測距情報および測光情報（後述する）を取得して、被写体にピントを合わせるときのレンズ位置、レンズに入ってくる光の量を調節する絞り量、およびＣＣＤ（Ｃｈａｒｇｅ　Ｃｏｕｐｌｅ　Ｄｅｖｉｃｅ）で受光する時間を調節するシャッタスピード等を決定する。また、スイッチ部２７０から送られた各スイッチの設定状況に従って、上記のレンズ位置などの各情報や各スイッチで設定された情報、および動作を指示する動作指示を図３の各部に伝える。ここでいう動作指示には、画像処理部２３０に対する撮影画像データを軌跡付加部２４０へ送る指示、および軌跡付加部２４０に対する撮影画像に軌跡を付加する指示や表示読取パネル１３３に撮影画像を表示する指示、軌跡付加部２４０およびプリント部２５０に対する撮影画像をプリントする指示などが含まれる。
【００２３】
レンズおよびＣＣＤ２１０には、図１にも示す被写体に焦点をあわせるためのレンズ１１２、ＣＣＤ、およびシャッタ（図示しない）が含まれている。レンズ１１２にはモータドライバおよびモータが取り付けられており、レンズ１１２のモータドライバは、制御部２６０からレンズ位置の情報を取得すると、レンズ１１２のモータを駆動してレンズ１１２を取得したレンズ位置に移動させる。ＣＣＤは、被写体光を受光して、その被写体光をアナログ信号である被写体信号に変換する。変換された被写体信号は、撮像部２２０に出力される。このＣＣＤは、本発明にいう固体撮像素子の一例に相当する。また、シャッタにもモータドライバおよびモータが取り付けられており、シャッタのモータドライバは、制御部２６０から絞り量およびシャッタスピードの情報を取得すると、シャッタのモータを駆動して、絞り量を調節するとともに、指示されたシャッタスピードでシャッタを切り、ＣＣＤで被写体光を受光する際の露光を制御する。
【００２４】
撮像部２２０は、レンズおよびＣＣＤ２１０から取得した被写体信号を、デジタルデータである撮影画像データに変換する。変換された撮影画像データは、画像処理部２３０に送られる。
【００２５】
画像処理部２３０は、被写体を撮影した撮影画像データに画像処理を施して、被写体までの距離測定（測距）、輝度測定（測光）などを行う。測距の結果である測距情報、および測光の結果である測光情報は制御部２６０に送られる。制御部２６０に測距情報および測光情報が送られると、レンズ位置やシャッタスピードなどが決定されて、本撮影が行われる。画像処理部２３０は、本撮影で撮影された撮影画像を表す撮影画像データを外部記録部３００に送るとともに、制御部２６０からの動作指示に従って、外部記録部３００に記録されている撮影画像データを軌跡付加部２４０に出力する。
【００２６】
軌跡付加部２４０は、付加画像生成部２４１と、軌跡付加画像生成部２４２とで構成されている。付加画像生成部２４１は、表示読取パネル１３３から軌跡を取得し、その軌跡を表す付加画像データを生成する。生成された付加画像データは、軌跡付加画像生成部２４２に送られる。この付加画像生成部２４１は、本発明のプリンタ一体型デジタルカメラにおける付加画像生成部の一例にあたる。また、軌跡付加画像生成部２４２は、画像処理部２３０から送られた撮影画像データが表す撮影画像に、付加画像生成部２４１から送られた付加画像データが表す軌跡を付加した軌跡付加画像を表す軌跡付加画像データを生成する。軌跡付加部２４０は、制御部２６０からの動作指示に従って、表示読取パネル１３３およびプリント部２５０に、軌跡が付加されていない撮影画像を表す撮影画像データおよび付加画像生成部２４１で生成された軌跡付加画像データを送る。
【００２７】
プリント部２５０は、軌跡付加部２４０から送られた撮影画像データや軌跡付加画像データが表す撮影画像や軌跡付加画像を記録シートにプリントする。また、制御部２６０から動作指示を取得すると、記録シートに取りつけられたモータを駆動し、記録シートを図１に示す記録シート出口１２０から出力する。このプリント部２５０は、本発明のプリンタ一体型デジタルカメラにおける画像プリント部の一例に相当する。
【００２８】
本実施形態のプリンタ式一体型カメラ１００は、基本的には以上のように構成されているものであり、次にこのプリンタ式一体型カメラ１００を用いて、文字列や画像が付加された撮影画像を記録シートにプリントする手順について説明する。
【００２９】
図４は、プリンタ一体型デジタルカメラ１００を用いて、撮影画像を記録シートにプリントする手順を示すフローチャートである。以下、このフローチャートを使って説明する。
【００３０】
まず、撮影者は、図２に示すモード切替ダイヤル１３０を使って、操作モードを撮影モードに設定する。さらに、撮影者は、所望の被写体に図１のレンズ１１２を向け、シャッタボタン１１０を半押しする（図４のステップ（ａ））。
【００３１】
撮影者によって操作モードが設定されると、プリンタ一体型デジタルカメラ１００の内部では、図３に示すスイッチ部２７０に備えられたダイヤルスイッチにおいて、操作モードとして通常撮影モードが設定され、この操作モードの情報が制御部２６０に送られる。また、シャッタボタン１１０が半押しされると、スイッチ部２７０の１段目のシャッタスイッチが入り、シャッタスイッチの１段目が入ったことが制御部２６０に伝えられる。
【００３２】
このとき、レンズおよびＣＣＤ２１０で取得された被写体信号は、撮像部２２０に送られてデジタルデータである撮影画像データに変換される。撮影画像データは画像処理部２３０に送られ、画像処理部２３０では、この撮影画像データを基に、被写体までの距離を表す測距情報、および被写体の輝度を表す測光情報が算出される。算出された測距情報および測光情報は制御部２６０に送られる。
【００３３】
制御部２６０では、画像処理部２３０から送られた測距情報を基にレンズ位置、測光情報を基に絞り量およびシャッタスピードが決定される。また、シャッタスイッチの１段目が入ったことが制御部２６０に伝えられると、制御部２６０はレンズおよびＣＣＤ２１０に、レンズ位置および絞り量の情報を送る。
【００３４】
レンズおよびＣＣＤ２１０では、制御部２６０からレンズ位置および絞り量の情報が取得されると、レンズ１１２のモータが駆動されて、レンズ１１２が指定のレンズ位置に移動され、シャッタのモータが駆動されて絞りが調節される。
【００３５】
次に、撮影者は図１のシャッタボタン１１０を全押しして、本撮影を行う（図４のステップ（ｂ））。
【００３６】
このとき、プリンタ一体型デジタルカメラ１００の内部では、図３に示すスイッチ部２７０の２段目のシャッタスイッチが入り、シャッタスイッチの２段目が入ったことが制御部２６０に伝えられる。
【００３７】
制御部２６０は、シャッタスイッチの２段目が入ったことが伝えられると、レンズおよびＣＣＤ２１０にシャッタスピードの情報を送る。
【００３８】
レンズおよびＣＣＤ２１０は、シャッタスピードの情報を取得すると、指定されたシャッタスピードでシャッタを切り、本撮影を行う。レンズおよびＣＣＤ２１０で取得された被写体信号は、ステップ（ａ）と同様に、撮像部２２０に送られてデジタルデータである撮影画像データに変換され、変換された撮影画像データは画像処理部２３０に送られる。画像処理部２３０に送られた撮影画像データは、さらに、外部記録部３００に送られて、外部記録部３００で記録される。
【００３９】
以上で、１回の撮影は終了するが、図４のステップ（ａ）からステップ（ｂ）までの動作が撮影終了まで繰り返される。
【００４０】
撮影が終了すると（図４のステップ（ｃ））、撮影者は、図２に示すモード切替ダイヤル１３０を使って、操作モードを画像表示モードに設定して、撮影画像を表示読取パネル１３３に表示する（図４のステップ（ｄ））。
【００４１】
このとき、プリンタ一体型デジタルカメラ１００の内部では、図３に示すスイッチ部２７０のダイヤルスイッチにおいて、操作モードとして画像表示モードが設定され、この操作モードの情報が制御部２６０に伝えられる。
【００４２】
制御部２６０は、画像処理部２３０に、撮影画像データを軌跡付加部２４０に出力する動作指示を送るとともに、軌跡付加部２４０に撮影画像を表示する動作指示を送る。
【００４３】
画像処理部２３０は、制御部２６０からの動作指示に従い、外部記録部３００に記録されている撮影画像データを軌跡付加部２４０に送る。
【００４４】
軌跡付加部２４０は、画像処理部２３０から取得した撮影画像データを表示読取パネル１３３へ出力する。表示読取パネル１３３の画像表示部１３３ｂに送られると、その撮影画像データが表す撮影画像が、表示読取パネル１３３に表示される。
【００４５】
図５は、撮影画像４１０が表示された表示読取パネル１３３を示す図である。この撮影画像４１０は、本発明にいう撮影画像の一例にあたる。
【００４６】
撮影者は、撮影画像４１０を確認して、モード切替ダイヤル１３０で操作モードを撮影画像に文字列および画像を付加するペン入力モードに設定する（図４のステップ（ｅ））。
【００４７】
モード切替ダイヤル１３０でペン入力モードが設定されると、プリンタ一体型デジタルカメラ１００の内部では、図３に示すスイッチ部２７０のダイヤルスイッチにおいてペン入力モードが設定され、操作モードの情報（ペン入力モード）が制御部２６０に伝えられる。
【００４８】
撮影者は、図２に示すペン１４０を使って、撮影画像が表示された表示読取パネル１３３上に、所望の文字列や画像を入力する（図４のステップ（ｆ））。
【００４９】
このとき、図３の軌跡読取部１３３ａは、ペン１４０で赤外線が遮断された位置の情報を検出して、表示読取パネル１３３の表面をなぞられた軌跡を読み取る。読み取られた軌跡は、軌跡付加部２４０および画像表示部１３３ｂに送られて、撮影画像といっしょに表示読取パネル１３３に表示される。
【００５０】
図６は、撮影画像４１０および軌跡４２０を表示した表示読取パネル１３３を示す図である。表示読取パネル１３３上には、撮影画像４１０とともに、撮影者がペン１４０を使って入力した文字および画像に対応する軌跡４２０が表示される。軌跡４２０は、本発明にいう軌跡の一例に相当する。
【００５１】
上記で説明した図４のステップ（ｆ）の動作は、図４のステップ（ｅ）において、操作モードとしてペン入力モードが設定されなかった場合には省略される。
【００５２】
撮影者は、表示読取パネル１３３に表示された撮影画像４１０および軌跡４２０を確認し、モード切替ダイヤル１３０で操作モードをプリントモードに設定する（図４のステップ（ｈ））。
【００５３】
モード切替ダイヤル１３０でプリントモードが設定されると、プリンタ一体型デジタルカメラ１００の内部では、図３に示すスイッチ部２７０のダイヤルスイッチにおいてプリントモードが設定され、操作モードの情報（プリントモード）が制御部２６０に伝えられる。制御部２６０は、軌跡付加部２４０およびプリント部２５０に撮影画像および軌跡を出力する動作指示を送る。
【００５４】
軌跡付加部２４０の付加画像生成部２４１は、制御部２６０から動作指示を取得すると、表示読取パネル１３３の軌跡読取部１３３ａから送られた軌跡を表す付加画像データを生成する。生成された付加画像データは、軌跡付加画像生成部２４２に送られる。また、軌跡付加画像生成部２４２は、画像処理部２３０から送られた撮影画像データが表す撮影画像に、付加画像生成部２４１から送られた付加画像データが表す軌跡が付加された軌跡付加画像を表す軌跡付加画像データを生成する。生成された軌跡付加画像データは、プリント部２５０に送られる。
【００５５】
プリント部２５０では、軌跡付加部２４０の軌跡付加画像生成部２４２から送られた軌跡付加画像データが表す軌跡付加画像が記録シートにプリントされ、その記録シートが図１に示す記録シート出口１２０から出力される。
【００５６】
図７は、軌跡付加画像５００がプリントされた記録シート６００を示す図である。軌跡付加画像５００は、図６に示す撮影画像４１０に対応する撮影画像５１０、および軌跡４２０に対応する軌跡５２０で構成されている。この軌跡付加画像５００は、本発明にいう軌跡付加画像の一例にあたり、記録シート６００は、本発明にいう記録シートの一例に相当する。
【００５７】
記録シートが出力されると、次に撮影された撮影画像が図２の表示読取パネル１３３に表示され（図４のステップ（ｄ））、ステップ（ｄ）からステップ（ｉ）までの動作が繰り返される。
【００５８】
ここで、本実施形態では、赤外線を使って軌跡を読み取る赤外線方式の表示読取パネルを備えたプリンタ一体型デジタルカメラについて説明したが、例えば、抵抗膜方式や静電容量方式などを採用した表示読取パネルを備えたプリンタ一体型デジタルカメラであってもよい。
【００５９】
また、本実施形態では、カメラに備えられたペンを使って文字列や画像を入力するプリンタ一体型デジタルカメラについて説明したが、上記で示した表示読取パネルに適用される方式に従うものであればよく、例えば、指や棒のようなもので入力するものであってもよい。
【００６０】
ここで、本実施形態では、文字列付加画像を表す軌跡付加画像データを生成して、軌跡と撮影画像をいっしょにプリントするプリンタ一体型デジタルカメラについて説明したが、撮影画像に軌跡を付加した軌跡付加画像をプリントするものであれば、例えば、撮影画像と軌跡を別にプリントするプリンタ一体型デジタルカメラであってもよい。
【００６１】
【発明の効果】
以上、説明したように、本発明によれば、所望の文字列や画像を容易に撮影画像に付加することができる。
【図面の簡単な説明】
【図１】本発明の一実施形態であるプリンタ一体型デジタルカメラの外観図である。
【図２】プリンタ一体型デジタルカメラ１００の背面図である。
【図３】プリンタ一体型デジタルカメラ１００のブロック図である。
【図４】プリンタ一体型デジタルカメラ１００を用いて、撮影画像を記録シートにプリントする手順を示すフローチャートである。
【図５】撮影画像４１０が表示された表示読取パネル１３３を示す図である。
【図６】撮影画像４１０および軌跡４２０が表示された表示読取パネル１３３を示す図である。
【図７】軌跡付加画像５００をプリントした記録シート６００を示す図である。
【符号の説明】
１００　　プリンタ一体型デジタルカメラ
１１０　　シャッタボタン
１１１　　ファインダ
１１２　　レンズ
１１３　　閃光発光装置
１１４　　閃光調光センサ
１１５　　セルフタイマランプ
１１６　　記録シート入口
１２０　　記録シート出口
１３０　　モード切替ダイヤル
１３１　　実行ボタン
１３２　　キャンセルボタン
１３３　　表示読取パネル
１３３ａ　　軌跡読取部
１３３ｂ　　画像表示部
１４０　　入力ペン
２１０　　レンズおよびＣＣＤ
２２０　　撮像部
２３０　　画像処理部
２４０　　軌跡付加部
２４１　　付加画像生成部
２４２　　軌跡付加画像生成部
２５０　　プリント部
２６０　　制御部
２７０　　スイッチ部
４１０　　撮影画像
４２０　　軌跡
５００　　軌跡付加画像
５１０　　撮影画像
５２０　　軌跡
【図１】
2004080370.tif 000003
【図２】
2004080370.tif 000004
【図３】
2004080370.tif 000005
【図４】
2004080370.tif 000006
【図５】
2004080370.tif 000007
【図６】
2004080370.tif 000008
【図７】
2004080370.tif 000009